(57)【要約】【課題】差入口案内板に関する新旧交換作業を簡略化すること。【解決手段】郵便差出箱の前面に形成された差入凹部及び差入孔に対応して取り付けられる差入口案内板２は、差入孔に対応した差入口７を含む口枠部２ａと、口枠部２ａの上端から前方へ延びる庇板部２ｂと、口枠部２ａの下端から下方へ斜めに延びる傾斜板部２ｃと、傾斜板部２ｃの下端縁を屈曲してなる屈曲縁部２ｄとを含む。差入口７の縦横寸法は、特定小包の寸法に合わせて設定される。屈曲縁部２ｄには、複数組のボルト１６とナット１７が設けられ、庇板部２ｂには、複数のばか穴１８と複数のネジ１９が設けられる。屈曲縁部２ｄを複数組のボルト１６とナット１７により郵便差出箱に固定すると共に、庇板部２ｂを複数のネジ１９により郵便差出箱に固定することにより差入口案内板２を郵便差出箱に固定するようになっている。【選択図】        図８
2006075263.tif 000002
【特許請求の範囲】
【請求項１】
郵便差出箱の前面に形成された差入凹部及び差入孔に対応して取り付けられる差入口案内板であって、
前記差入孔に対応した差入口を含む口枠部と、
前記差入口の縦横寸法は、特定小包の寸法に合わせて設定されることと、
前記口枠部の上端から前方へ延びる庇板部と、
前記口枠部の下端から下方へ斜めに延びる傾斜板部と、
前記傾斜板部の下端縁を屈曲してなる屈曲縁部と、
前記屈曲縁部に設けられた第１の固定手段と、
前記庇板部に設けられた第２の固定手段と
を備えたことを特徴とする郵便差出箱の差入口案内板。
【請求項２】
郵便差出箱の前面に形成された差入凹部及び差入孔に対応して取り付けられる差入口案内板であって、
前記差入孔に対応した差入口を含む口枠部と、
前記差入口の縦横寸法は、特定小包の寸法に合わせて設定されることと、
前記口枠部の上端から前方へ延びる庇板部と、
前記口枠部の下端から下方へ斜めに延びる傾斜板部と、
前記傾斜板部の下端縁を屈曲してなる屈曲縁部と、
前記屈曲縁部に設けられた第１の固定手段と、
前記庇板部に設けられた第２の固定手段と
を備え、前記差入口案内板を前記差入凹部及び前記差入孔に対応して配置して、前記屈曲縁部を前記第１の固定手段により前記郵便差出箱に固定すると共に、前記庇板部を前記第２の固定手段により前記郵便差出箱に固定することにより前記差入口案内板を前記郵便差出箱に固定することを特徴とする郵便差出箱の差入口案内板。
【請求項３】
前記第１の固定手段は、前記屈曲縁部の裏側に設けられる複数組のボルトとナットであり、前記第２の固定手段は、前記庇板部に形成される複数の穴及びそれらの穴に挿通される複数のネジであることを特徴とする請求項１又は２に記載の郵便差出箱の差入口案内板。
【請求項４】
前記第１の固定手段は、前記屈曲縁部の裏側に設けられる複数組のボルトとナットであり、前記第２の固定手段は、前記庇板部に形成される複数のばか穴、それらのばか穴に挿通される複数のネジ及び前記庇板部と前記各ネジとの間に介在する当板であることを特徴とする請求項１又は２に記載の郵便差出箱の差入口案内板。
【請求項５】
前記庇板部の左右両側縁のうち少なくとも一方が、先端へ向けて内側へ傾斜する傾斜縁をなすと共に、前記傾斜板部及び前記屈曲縁部の左右両側縁のうち少なくとも一方が、前記傾斜板部から前記屈曲縁部にかけて先端へ向けて内側へ傾斜する傾斜縁をなすことを特徴とする請求項４に記載の郵便差出箱の差入口案内板。
【請求項６】
前記庇板部における前記傾斜縁の傾斜角度は、１.５〜２.５°であり、前記傾斜板部及び前記屈曲縁部における前記傾斜縁の傾斜角度は、０.５〜１.５°であることを特徴とする請求項５に記載の郵便差出箱の差入口案内板。
【請求項７】
前記口枠部、前記庇板部、前記傾斜板部及び前記屈曲縁部の横幅は、塗装の厚み変化を見込んで前記差入凹部の横幅よりも所定寸法だけ小さいことを特徴とする請求項１乃至４の何れかに記載の郵便差出箱の差入口案内板。
【請求項８】
前記口枠部の横幅は、塗装の厚み変化を見込んで前記差入凹部の横幅よりも所定寸法だけ小さいことを特徴とする請求項５又は６に記載の郵便差出箱の差入口案内板。
【請求項９】
前記所定寸法は、１〜２ｍｍであることを特徴とする請求項７又は８に記載の郵便差出箱の差入口案内板。
【請求項１０】
前記差入口は、前記口枠部の横幅方向において片側に偏って配置されることを特徴とする請求項１乃至９の何れかに記載の郵便差出箱の差入口案内板。
【請求項１１】
前記差入口の縦横寸法は、４０ｍｍ×２５２ｍｍであることを特徴とする請求項１乃至１０の何れかに記載の郵便差出箱の差入口案内板。
【請求項１２】
前記口枠部の裏側にて前記差入口に対応して設けられ、前記差入口からの案内通路を構成する案内枠を備えたことを特徴とする請求項１乃至１１の何れかに記載の郵便差出箱の差入口案内板。
【請求項１３】
前記案内枠には、その案内通路を開閉するための回動蓋が設けられることを特徴とする請求項１２に記載の郵便差出箱の差入口案内板。
【請求項１４】
前記案内枠には、その案内通路を開閉するための回動蓋が設けられ、前記回動蓋は、前記案内枠に支持されるシャフトを中心に上方へ回動することにより前記案内通路を開放することを特徴とする請求項１２に記載の郵便差出箱の差入口案内板。
【請求項１５】
ステンレス製であることを特徴とする請求項１乃至１４の何れかに記載の郵便差出箱の差入口案内板。
【請求項１６】
ステンレス製であり、ヘアーライン仕上されたことを特徴とする請求項１乃至１４の何れかに記載の郵便差出箱の差入口案内板。
【発明の詳細な説明】
【技術分野】
【０００１】
この発明は、郵便の差し出しに使用される郵便差出箱に係り、詳しくは、その差入口のための差入口案内板に関する。
【背景技術】
【０００２】
従来、この種の郵便差出箱として、図１４，１５に示す１号角型の郵便差出箱３１がある。この郵便差出箱３１の前面には、差入口案内板３２が取り付けられる。図１５に示すように、郵便差出箱３１の前面には、差入凹部３３及び差入孔３４が形成される。差入口案内板３２は、差入凹部３３及び差入孔３４を覆うように取り付けられる。従来の差入口案内板３２に形成される差入口３５は、「３５ｍｍ×２４０ｍｍ」又は「３５ｍｍ×２００ｍｍ」の縦横寸法を有する。
【０００３】
図１６に、従来の差入口案内板３２の正面図を示す。図１７に、従来の差入口案内板３２の右側面図を示す（図１６，１７は、シャフトと回動蓋を取り外した状態を示す。）。差入口案内板３２は、差入口３５を含む口枠部３２ａと、その口枠部３２ａの上端から前方へ延びる庇板部３２ｂと、口枠部３２ａの下端から下方へ斜めに延びる傾斜板部３２ｃと、傾斜板部３２ｃの下端縁を屈曲してなる屈曲縁部３２ｄとを備える。口枠部３２ａの裏側には、複数組のボルト３６とナット３７が設けられる。同様に、屈曲縁部３２ｄの裏側には、複数組のボルト３６とナット３７が設けられる。また、庇板部３２ｂには、皿ネジ用の皿穴３８が形成される。そして、上記した差入口案内板３２を郵便差出箱３１に取り付けるには、図１８に示すように、差入口案内板３２を、差入凹部３３に嵌め込み、口枠部３２ａ及び屈曲板部３２ｄをボルト３６及びナット３７により郵便差出箱３１に締め付けると共に、庇板部３２ｂを皿穴３８に挿通した皿ネジ３９により同差出箱３１に締め付ける。
【０００４】
尚、郵便差出箱の一例として、上記した差入口案内板とは構成が異なる「プレート」を備えた郵便差出箱が、下記の特許文献１に開示されている。
【０００５】
【特許文献１】特開平１０−２０３５９３号公報（第２頁、図１，２）
【発明の開示】
【発明が解決しようとする課題】
【０００６】
ところで、近年、利用者の利便性向上のために、一部の小包（「エクスパック５００」と称する特定小包）が、郵便局以外に、郵便差出箱でも受け付けできるようになっている。ところが、上記した特定小包は「２４８ｍｍ」の横幅を有することから、一部の郵便差入箱、特に１号角型の郵便差出箱３１では、その差入口３５から差し入れることができなかった。
【０００７】
そこで、従来の郵便差出箱の構造はそのままとして、差入口の縦横寸法を、特定小包の寸法に合わせて変更して差入口案内板を新型とし、その差入口案内板のみを新旧交換することが考えられる。しかしながら、郵便差出箱は、全国各地に膨大な数設置されていることから、これらの郵便差出箱すべてについて差入口案内板の新旧交換作業を行うには、膨大な労力が必要になる。そのため、差入口案内板の新旧交換作業の労力を極力軽減することが要請されている。
【０００８】
また、製造時から、あるいは、長年の使用により、郵便差出箱３１の差入凹部３３や差入孔３４に歪みや変形が生じていることもある。この場合、差入口案内板の新旧交換に際し、歪みや変形に起因して、差入孔３４と差入口案内板との間に隙間が生じることも考えられ、その隙間から郵便差出箱３１の中に雨水が浸入する懸念がある。
【０００９】
そこで、この発明は上記事情に鑑みてなされたものであって、その第１の目的は、新旧の交換作業を簡略化することを可能とした郵便差出箱の差入口案内板を提供することにある。また、この発明の第２の目的は、第１の目的に加え、差入孔との隙間から雨水が浸入するのを防止することを可能とした郵便差出箱の差入口案内板を提供することにある。
【課題を解決するための手段】
【００１０】
上記第１の目的を達成するために、請求項１に記載の発明は、郵便差出箱の前面に形成された差入凹部及び差入孔に対応して取り付けられる差入口案内板であって、差入孔に対応した差入口を含む口枠部と、差入口の縦横寸法は、特定小包の寸法に合わせて設定されることと、口枠部の上端から前方へ延びる庇板部と、口枠部の下端から下方へ斜めに延びる傾斜板部と、傾斜板部の下端縁を屈曲してなる屈曲縁部と、屈曲縁部に設けられた第１の固定手段と、庇板部に設けられた第２の固定手段とを備えたことを趣旨とする。
【００１１】
上記発明の構成によれば、差入口案内板は、郵便差出箱の前面に形成された差入凹部及び差出孔に対応して取り付けられる。この取り付けに際して、口枠部は、差入孔に対応して配置され、その差入口が差入孔に連通する。庇板部は、差入凹部の庇面を覆う。傾斜板部は、差入凹部の傾斜面を覆う。屈曲縁部は、傾斜面に隣接する表面に重なる。ここで、差入口案内板は、差入凹部及び差入孔に対応して配置して、屈曲縁部を第１の固定手段により郵便差出箱に固定すると共に、庇板部を第２の固定手段により郵便差出箱に固定することにより、郵便差出箱に固定される。従って、差入口案内板は、その二つの部位を固定するだけで郵便差出箱に固定されて取り付けられるので、従来の差入口案内板よりも一つ少ない部位を固定するだけで済む。また、固定部位が一つ少なくなっても、従来と比べて固定強度に大差はない。
【００１２】
上記第１の目的を達成するために、請求項２に記載の発明によれば、郵便差出箱の前面に形成された差入凹部及び差入孔に対応して取り付けられる差入口案内板であって、差入孔に対応した差入口を含む口枠部と、差入口の縦横寸法は、特定小包の寸法に合わせて設定されることと、口枠部の上端から前方へ延びる庇板部と、口枠部の下端から下方へ斜めに延びる傾斜板部と、傾斜板部の下端縁を屈曲してなる屈曲縁部と、屈曲縁部に設けられた第１の固定手段と、庇板部に設けられた第２の固定手段とを備え、差入口案内板を差入凹部及び差入孔に対応して配置して、屈曲縁部を第１の固定手段により郵便差出箱に固定すると共に、庇板部を第２の固定手段により郵便差出箱に固定することにより差入口案内板を郵便差出箱に固定することを趣旨とする。
【００１３】
上記発明の構成によれば、差入口案内板は、郵便差出箱の前面に形成された差入凹部及び差出孔に対応して取り付けられる。この取り付けに際して、口枠部は、差入孔に対応して配置され、その差入口が差入孔に連通する。庇板部は、差入凹部の庇面を覆う。傾斜板部は、差入凹部の傾斜面を覆う。屈曲縁部は、傾斜面に隣接する表面に重なる。ここで、差入口案内板は、差入凹部及び差入孔に対応して配置して、屈曲縁部を第１の固定手段により郵便差出箱に固定すると共に、庇板部を第２の固定手段により郵便差出箱に固定することにより、郵便差出箱に固定される。従って、差入口案内板は、その二つの部位を固定するだけで郵便差出箱に固定されて取り付けられるので、従来の差入口案内板よりも一つ少ない部位を固定するだけで済む。また、固定部位が一つ少なくなっても、従来と比べて固定強度に大差はない。
【００１４】
上記第１の目的を達成するために、請求項３に記載の発明は、請求項１又は２に記載の発明において、第１の固定手段は、屈曲縁部の裏側に設けられる複数組のボルトとナットであり、第２の固定手段は、庇板部に形成される複数の穴及びそれらの穴に挿通される複数のネジであることを趣旨とする。
【００１５】
上記発明の構成によれば、請求項１又は２に記載の発明の作用に加え、ドライバやレンチという一般的な道具を使用するだけで、ネジやナットを締め付けたり、緩めたりすることが可能となる。
【００１６】
上記第１の目的を達成するために、請求項４に記載の発明は、請求項１又は２に記載の発明において、第１の固定手段は、屈曲縁部の裏側に設けられる複数組のボルトとナットであり、第２の固定手段は、庇板部に形成される複数のばか穴、それらのばか穴に挿通される複数のネジ及び庇板部と各ネジとの間に介在する当板であることを趣旨とする。
【００１７】
上記発明の構成によれば、請求項１又は２に記載の発明の作用に加え、ドライバやレンチという一般的な道具を使用するだけで、ネジやナットを締め付けたり、緩めたりすることが可能となる。また、庇板部と各ネジとの間には、当板が介在するので、各ネジが庇板部に対して安定着座する。
【００１８】
上記第２の目的を達成するために、請求項５に記載の発明は、請求項４に記載の発明において、庇板部の左右両側縁のうち少なくとも一方が、先端へ向けて内側へ傾斜する傾斜縁をなすと共に、傾斜板部及び屈曲縁部の左右両側縁のうち少なくとも一方が、傾斜板部から屈曲縁部にかけて先端へ向けて内側へ傾斜する傾斜縁をなすことを趣旨とする。
【００１９】
上記発明の構成によれば、請求項４に記載の発明の作用に加え、次のような作用が得られる。すなわち、郵便差出箱において、差入孔の横幅方向における一端縁が差入凹部の横幅片端に一致する構造では、差入孔に対応して配置される口枠部を、差入凹部の横幅片端の内壁に当てるように寄せることにより、口枠部と差入孔との間で隙間をなくすことができる。ここで、口枠部を差入凹部の横幅片端に寄せる際、口枠部より先に庇板部、傾斜板部又は屈曲縁部が差入凹部の横幅片端の内壁に当たることになれば、口枠部を差入凹部の横幅片端に寄せることはできない。この発明の構成では、庇板部の穴とその穴に挿通されるネジとの間にある隙間と、屈曲縁部のボルトと郵便差出箱の穴との間にある隙間により、ネジやボルトを締め付ける前には、差入凹部と差入口案内板との間で微小な変位が許容される。ここで、庇板部の側縁が傾斜縁をなし、傾斜板部及び屈曲縁部の側縁が傾斜縁をなすので、庇板部、傾斜板部及び屈曲縁部よりも口枠部を優先的に差入凹部の横幅片端に寄せることが可能となり、口枠部と差入孔との間に隙間がなくなる。
【００２０】
上記第２の目的を達成するために、請求項６に記載の発明は、請求項５に記載の発明において、庇板部における傾斜縁の傾斜角度は、１.５〜２.５°であり、傾斜板部及び屈曲縁部における傾斜縁の傾斜角度は、０.５〜１.５°であることを趣旨とする。
【００２１】
上記発明の構成によれば、請求項５に記載の発明の作用に加え、各傾斜角度が、１.５〜２.５°、０.５〜１.５°という微小な角度に特定されるので、差入口案内板が差入凹部に取り付けられた状態で各傾斜縁が目立つことはない。
【００２２】
上記第１の目的を達成するために、請求項７に記載の発明は、請求項１乃至４の何れかに記載の発明において、口枠部、庇板部、傾斜板部及び屈曲縁部の横幅は、塗装の厚み変化を見込んで差入凹部の横幅よりも所定寸法だけ小さいことを趣旨とする。
【００２３】
上記発明の構成によれば、請求項１乃至４の何れかに記載の発明の作用に加え、口枠部、庇板部、傾斜板部及び屈曲縁部の横幅が、塗装の厚み変化を見込んで差入凹部の横幅よりも所定寸法だけ小さいので、塗り替えにより塗装の厚みが増して差入凹部の横幅が若干減少しても、口枠部、庇板部、傾斜板部及び屈曲縁部の横幅との間に余裕が得られ、差入凹部に対する差入口案内板の取り付けが許容される。
【００２４】
上記第２の目的を達成するために、請求項８に記載の発明は、請求項５又は６に記載の発明において、口枠部の横幅は、塗装の厚み変化を見込んで差入凹部の横幅よりも所定寸法だけ小さいことを趣旨とする。
【００２５】
上記発明の構成によれば、請求項５又は６に記載の発明の作用に加え、口枠部の横幅が、塗装の厚み変化を見込んで差入凹部の横幅よりも所定寸法だけ小さいので、塗り替えにより塗装の厚みが増して差入凹部の横幅が若干減少しても、口枠部の横幅との間に余裕が得られ、差入凹部に対する差入口案内板の取り付けが許容される。
【００２６】
上記第１又は第２の目的を達成するために、請求項９に記載の発明は、請求項７又は８に記載の発明において、所定寸法は、１〜２ｍｍであることを趣旨とする。
【００２７】
上記発明の構成によれば、請求項７又は８に記載の発明の作用に加え、所定寸法が、１〜２ｍｍという微小な寸法に特定されるので、差入口案内板が差入凹部に取り付けられた状態で各部の横幅の減少が目立つことはない。
【００２８】
上記第１又は第２の目的を達成するために、請求項１０に記載の発明は、請求項１乃至９の何れかに記載の発明において、差入口は、口枠部の横幅方向において片側に偏って配置されることを趣旨とする。
【００２９】
上記発明の構成によれば、請求項１乃至９の何れかに記載の発明の作用に加え、郵便差出箱の中の構造枠に干渉することなく、差入口の横幅寸法を従来に比べて拡大可能となる。
【００３０】
上記第１又は第２の目的を達成するために、請求項１１に記載の発明は、請求項１乃至１０の何れかに記載の発明は、差入口の縦横寸法は、４０ｍｍ×２５２ｍｍであることを趣旨とする。
【００３１】
上記発明の構成によれば、請求項１乃至１０の何れかに記載の発明の作用に加え、差入口の縦横寸法が４０ｍｍ×２５２ｍｍであることから、２４８ｍｍの横幅寸法を有する小包にも対応可能である。
【００３２】
上記第１又は第２の目的を達成するために、請求項１２に記載の発明は、請求項１乃至１１の何れかに記載の発明において、口枠部の裏側にて差入口に対応して設けられ、差入口からの案内通路を構成する案内枠を備えたことを趣旨とする。
【００３３】
上記発明の構成によれば、請求項１乃至１１の何れかに記載の発明の作用に加え、口枠部の裏側にて差入口に対応して、差入口からの案内通路を構成する案内枠が設けられるので、差入口から郵便差出箱内部への郵便の投入が、案内通路により案内される。
【００３４】
上記第１又は第２の目的を達成するために、請求項１３に記載の発明は、請求項１２に記載の発明において、案内枠には、その案内通路を開閉するための回動蓋が設けられることを趣旨とする。
【００３５】
上記発明の構成によれば、請求項１２に記載の発明の作用に加え、案内通路を開閉する回動蓋が設けられるので、郵便差出箱の中へ郵便を投入するときだけ回動蓋により差入口を開放し、それ以外のときには回動蓋により差入口を閉鎖することが可能となる。
【００３６】
上記第１又は第２の目的を達成するために、請求項１４に記載の発明は、請求項１２に記載の発明において、案内枠には、その案内通路を開閉するための回動蓋が設けられ、回動蓋は、案内枠に支持されるシャフトを中心に上方へ回動することにより案内通路を開放することを趣旨とする。
【００３７】
上記発明の構成によれば、請求項１２に記載の発明の作用に加え、案内通路を開閉する回動蓋が設けられるので、郵便差出箱の中へ郵便を投入するときだけ回動蓋により差入口を開放し、それ以外のときには回動蓋により差入口を閉鎖することが可能となる。また、案内枠に支持されるシャフトを中心に回動蓋が上方へ回動することにより案内通路が開放するので、差入口への郵便の差し入れと同時に回動蓋が押し開けられる。
【００３８】
上記第１又は第２の目的を達成するために、請求項１５に記載の発明は、請求項１乃至１４の何れかに記載の発明において、ステンレス製であることを趣旨とする。
【００３９】
この発明の構成によれば、請求項１乃至１４の何れかに記載の発明の作用に加え、差入口案内板がステンレス製であることから、雨水などで錆びることがない。
【００４０】
上記第１又は第２の目的を達成するために、請求項１６に記載の発明は、請求項１乃至１４の何れかに記載の発明において、ステンレス製であり、ヘアーライン仕上されたことを趣旨とする。
【００４１】
この発明の構成によれば、請求項１乃至１４の何れかに記載の発明の作用に加え、差入口案内板がステンレス製であることから、雨水などで錆びることがない。また、ヘアーライン仕上されていることから、差入口案内板の表面が独特の金属光沢を呈する。
【発明の効果】
【００４２】
請求項１に記載の発明によれば、従来の差入口案内板よりも一つ少ない固定部位の分だけ、差入口案内板の取付作業を簡略化することができ、これによって差入口案合板に関する新旧交換作業を簡略化することができる。このため、全国各地に膨大な数設置されている郵便差出箱につき、差入口案内板に関する新旧交換作業の労力を軽減することができる。
【００４３】
請求項２に記載の発明によれば、従来の差入口案内板よりも一つ少ない固定部位の分だけ、差入口案内板の取付作業を簡略化することができ、これによって差入口案合板に関する新旧交換作業を簡略化することができる。このため、全国各地に膨大な数設置されている郵便差出箱につき、差入口案内板に関する新旧交換作業の労力を軽減することができる。
【００４４】
請求項３に記載の発明によれば、請求項１又は２に記載の発明の効果に対し、差入口案内板に関する新旧交換作業を更に簡略化することができる。
【００４５】
請求項４に記載の発明によれば、請求項１又は２に記載の発明の効果に対し、差入口案内板に関する新旧交換作業を更に簡略化することができる。また、ネジが郵便差出箱のネジ穴に締め付けられた後に、そのネジがばか穴の中でずれることがなく、庇板部を郵便差出箱に対して確実に固定することができる。
【００４６】
請求項５に記載の発明によれば、請求項４に記載の発明の効果に加え、差入口案内板の口枠部と差入孔との間の隙間から郵便差出箱の中に雨水が浸入することを防止することができる。
【００４７】
請求項６に記載の発明によれば、請求項５に記載の発明の効果に加え、差入口案内板としての意匠的効果を確保することができる。
【００４８】
請求項７に記載の発明によれば、請求項１乃至４の何れかに記載の発明の効果に対し、差入口案内板に関する新旧交換作業の労力を更に軽減することができる。
【００４９】
請求項８に記載の発明によれば、請求項５又は６に記載の発明の効果に対し、差入口案内板に関する新旧交換作業の労力を更に軽減することができる。
【００５０】
請求項９に記載の発明によれば、請求項７又は８に記載の発明の効果に対し、差入口案内板としての意匠的効果を確保することができる。
【００５１】
請求項１０に記載の発明によれば、請求項１乃至９の何れかに記載の発明の効果に加え、郵便差出箱を改造することなく差入口案内板に関する新旧交換作業を行うことができる。
【００５２】
請求項１１に記載の発明によれば、請求項１乃至１０の何れかに記載の発明の効果に加え、「エクスパック５００」なる特定小包を、郵便差出箱に対して投函できるようにすることができる。
【００５３】
請求項１２に記載の発明によれば、請求項１乃至１１の何れかに記載の発明の効果に加え、従来の差入口案内板と同様に郵便差出箱への郵便の投函を円滑なものにすることができる
【００５４】
請求項１３に記載の発明によれば、請求項１２に記載の発明の効果に加え、差入口に郵便が差し入れられないときには、差入口から郵便差出箱の中にゴミや雨水などが侵入することを防止することができる。
【００５５】
請求項１４に記載の発明によれば、請求項１２に記載の発明の効果に加え、差入口に郵便が差し入れられないときには、差入口から郵便差出箱の中にゴミや雨水などが侵入することを防止することができる。また、差入口への郵便の差し入れを円滑なものにすることができる。
【００５６】
請求項１５に記載の発明によれば、請求項１乃至１４の何れかに記載の発明の効果に加え、差入口案内板としての耐久性を向上させることができる。
【００５７】
請求項１６に記載の発明によれば、請求項１乃至１４の何れかに記載の発明の効果に加え、差入口案内板としての耐久性を向上させることができる。また、差入口案内板としての意匠的効果を確保することができる。
【発明を実施するための最良の形態】
【００５８】
［第１実施形態］
以下、本発明における郵便差出箱の差入口案内板を具体化した第１実施形態につき図面を参照して詳細に説明する。
【００５９】
図１に、１号角型の郵便差出箱１を正面図により示す。図２に、同じく郵便差出箱１から差入口案内板２を分離して斜視図により示す。１号角型の郵便差出箱１は、箱本体３及びスタンド４を備える。箱本体３の前面には、差入口案内板２が取り付けられる。図２に示すように、箱本体３の前面には、差入凹部５及び差入孔６が形成される。差入口案内板２は、差入凹部５及び差入孔６を覆うように取り付けられる。
【００６０】
図３に、差入口案合板２を斜視図により示す。図４に、差入口案内板２を分解斜視図により示す。図５に、差入口案内板２の正面図を示す。図６に、差入口案内板２の平面図を示す。図７（ａ），（ｂ）に、差入口案内板２の左側面図及び右側面図をそれぞれ示す。図８に、図５のＡ−Ａ線に沿った断面図を示す。
【００６１】
この実施形態の差入口案内板２は、差入口７を含む口枠部２ａと、口枠部２ａの上端から前方へ延びる庇板部２ｂと、口枠部２ａの下端から下方へ斜めに延びる傾斜板部２ｃと、傾斜板部２ｃの下端縁を屈曲してなる屈曲縁部２ｄとを備える。口枠部２ａ、庇板部２ｂ、傾斜板部２ｃ及び屈曲縁部２ｄは、一枚の板材を折り曲げて形成される。
【００６２】
この実施形態において、口枠部２ａ、庇板部２ｂ、傾斜板部２ｃ及び屈曲縁部２ｄの横幅Ｗ１（図３参照）は、箱本体３における塗装の厚み変化を見込んで差入凹部５の横幅Ｗ２（図１参照）よりも所定寸法だけ小さく設定される。この実施形態では、所定寸法を「１〜２ｍｍ」としている。
【００６３】
この実施形態において、差入口７は、横長な長方形状をなし、口枠部２ａの横幅Ｗ１の方向において片側に偏って配置される。ここでは、差入口７は、横幅Ｗ１の方向における右側に偏って配置される。また、この実施形態では、特定小包としての「エクスパック５００」の差し入れを許容するために、差入口７の縦横寸法が「４０ｍｍ×２５２ｍｍ」に設定される。
【００６４】
この実施形態において、口枠部２ａの裏側には、差入口７に対応して、差入口７からの案内通路１１ａ（図８参照）を構成する案内枠１１が設けられる。案内枠１１は、チャネル形状をなす基枠片１２と、その上側に組み付けられる天枠片１３とから構成される。口枠部２ａ、基枠片１２及び天枠片１３は、それぞれ溶接により接合される。基枠片１２及び天枠片１３の上側両端には、それぞれ一対をなす軸受１２ａ，１３ａが形成される。そして、基枠片１２と天枠片１３を組み付けることにより、両軸受１２ａ，１３ａが互いに整合し、それら軸受１２ａ，１３ａには、シャフト１４の両端が支持される。このシャフト１４に対して、回動蓋１５が回動可能に支持される。これにより、案内枠１１には、その案内通路１１ａを開閉するための回動蓋１５が設けられる。回動蓋１５は、案内枠１１に支持されるシャフト１４を中心に上方へ回動することにより案内通路１１ａを開放するようになっている。
【００６５】
この実施形態において、差入口案合板２を構成する各部材は、それぞれステンレスにより製造される。また、口枠部２ａ、庇板部２ｂ、傾斜板部２ｃ及び屈曲縁部２ｄを構成する板材及び案内枠１１の表面は、それぞれヘアーライン仕上される。「ヘアーライン仕上げ」は、金属板表面に同一方向に延びる多数の微細線（ヘアーライン）が表れるように磨き上げられることである。この実施形態では、ステンレス板材として、予めヘアーラインの入った鋼材が使用される。この実施形態では、ヘアーラインの方向は、差入口案内板２の横幅Ｗ１の方向と同じに設定される。
【００６６】
この実施形態において、図５〜７に示すように、屈曲縁部２ｄの裏側には、本発明の第１の固定手段に相当する、複数組のボルト１６とナット１７が設けられる。各ボルト１６は、屈曲縁部２ｄに溶接される。また、庇板部２ｂには、本発明の第２の固定手段に相当する、複数の皿穴１８及びそれらの皿穴１８に挿通される複数の皿ネジ１９が設けられる。そして、差入口案内板２を差入凹部５及び差入孔６に対応して配置して、屈曲縁部２ｄを複数組のボルト１６とナット１７により箱本体３に締め付けて固定すると共に、庇板部２ｂを複数の皿穴１８に挿通した各皿ネジ１９により箱本体３に締め付けて固定することにより、差入口案内板２を箱本体３に固定するようになっている。尚、箱本体３の屈曲縁部２ｄ及び庇板部２ｂに対応する部位には、上記したボルト１６に対応した複数のばか穴と、上記した皿ネジ１９に対応した複数のネジ穴が既に形成されている。
【００６７】
図９（ａ）,（ｂ）に、本実施形態の差入口案内板２と従来の差入口案内板３２（シャフトと回動蓋を取り外した状態）の右側面図を比較して示す。図面からも明らかなように、本実施形態の差入口案内板２は、従来の差入口案内板３２における口枠部３２ａの裏側に設けられていた複数組のボルト３６とナット３７が省略されて設けられていないことが分かる。
【００６８】
以上説明したこの実施形態の構成によれば、差入口案内板２は、郵便差出箱１の箱本体３の前面に形成された差入凹部５及び差出孔６に対応して取り付けられる。図１０には、箱本体３に対する差入口案内板２の取り付けを分解断面図により示す。図１０に示すように、差入凹部５は、差入孔６から下方へ延びる傾斜面５ａと、差入孔６の上側に位置する庇面５ｂとを含む。差入口案内板２の取り付けに際して、口枠部２ａは、差入孔６に対応して配置され、その差入口７が差入孔６に連通する。庇板部２ｂは、差入凹部５の庇面５ｂを覆う。傾斜板部２ｃは、差入凹部５の傾斜面５ａを覆う。屈曲縁部２ｄは、傾斜面５ａに隣接する表面５ｃに重ねられる。
【００６９】
ここで、差入口案内板２を差入凹部５及び差入孔６に対応して配置して、屈曲縁部２ｄを複数組のボルト１６とナット１７により箱本体３に締め付けて固定すると共に、庇板部２ｂを複数の皿穴１８に挿通した各皿ネジ１９により箱本体３に締め付けて固定することにより、差入口案内板２が箱本体３に固定される。従って、差入口案内板２は、その二つの部位である、屈曲縁部２ｄと庇板部２ｂを固定するだけで箱本体３に固定され取り付けられるので、従来の差入口案内板３２よりも一つ少ない部位を固定するだけで済む。また、固定部位が一つ少なくなっても、従来と比べて差入口案内板２の固定強度に大差はない。このため、従来の差入口案内板３２よりも一つ少ない固定部位の分だけ、差入口案内板２の取付作業を簡略化することができ、これによって差入口案合板２に関する新旧交換作業を簡略化することができる。このため、全国各地に膨大な数設置されている郵便差出箱１につき、差入口案内板２に関する新旧交換作業の労力を軽減することができる。
【００７０】
また、従来の差入口案内板３２と同様に、差入凹部５に対して差入口案内板２が取り付けられるので、従来と同様、差入口案内板２により、差入口７に対する郵便の差し入れが円滑に案内され、郵便差出箱１に対する郵便の投函を円滑なものにすることができる。また、差入口案内板２による意匠的効果を確保することができる。
【００７１】
この実施形態の差入口案内板２によれば、上記した作用効果に加えて次の作用効果が得られる。すなわち、箱本体３は、長年使用される間に表面の塗装が何度か塗り替えられる。この塗り替えに伴い、塗装の厚みが増して箱本体３の差入凹部５の横幅Ｗ２が若干減少することがある。この実施形態では、口枠部２ａ、庇板部２ｂ、傾斜板部２ｃ及び屈曲縁部２ｄの横幅Ｗ１が、塗装の厚み変化を見込んで差入凹部５の横幅Ｗ２よりも所定寸法（１〜２ｍｍ）だけ小さく設定される。このため、塗装の厚みが増して差入凹部５の横幅Ｗ２が若干減少しても、口枠部２ａ、庇板部２ｂ、傾斜板部２ｃ及び屈曲縁部２ｄの横幅Ｗ１との間に余裕が得られ、差入凹部５に対する差入口案内板２の取り付けが許容される。つまり、差入凹部５に対する差入口案内板２の嵌め込みが、差入凹部５の表面における塗装の厚み増加により阻害されることがない。この意味において、差入口案内板２に関する新旧交換作業の労力を更に軽減することができる。また、上記した所定寸法が「１〜２ｍｍ」という微小な寸法に特定されるので、差入口案内板２が差入凹部５に取り付けられた状態で各部２ａ〜２ｄの横幅Ｗ１の減少が目立つことはない。このため、差入口案内板２としての意匠的効果を確保することができる。
【００７２】
この実施形態では、差入口案内板２の差入口７が、口枠部２ａの横幅Ｗ１の方向において右側に偏って配置される。このため、箱本体３の中に設けられる構造枠に干渉することなく、差入口７の横幅寸法を従来に比べて大きくすることが可能となる。この実施形態の箱本体３は、その前面の内側左端にヒンジなどの支柱（図示略）が位置しているが、差入口７が口枠部２ａの右側に偏っていることから、この支柱に差入口７が干渉することがない。このため、郵便差出箱１を何ら改造することなく、差入口案内板２に関する新旧交換作業を行うことができる。
【００７３】
この実施形態では、第１の固定手段として、屈曲縁部２ｄの裏側に複数組のボルト１６とナット１７が設けられ、第２の固定手段として、庇板部２ａに複数の皿穴１８及びそれらの皿穴１８に挿通される複数の皿ネジ１９が設けられる。従って、これら皿ネジ１９及びナット１７は、ドライバ及び六角レンチを道具として使用するだけで、それぞれ締め付けたり、緩めたりすることができる。このため、特殊な工具を使用することなく、単にドライバ及び六角レンチという一般的な道具を使用するだけで、差入口案内板２の取り付け、取り外しを容易に行うことができる。この意味で、差入口案内板２に関する新旧交換作業をより簡略化することができる。
【００７４】
この実施形態では、差入口７の縦横寸法が「４０ｍｍ×２５２ｍｍ」であることから、２４８ｍｍの横幅寸法を有する小包にも対応可能である。このため、「エクスパック５００」なる特定小包を、郵便差出箱１に対して投函できるようにすることができる。
【００７５】
この実施形態では、差入口案内板２の口枠部２ａの裏側にて差入口７に対応して、差入口７からの案内通路１１ａを構成する案内枠１１が設けられるので、差入口７から箱本体３の中への郵便の投入が、案内通路１１ａにより案内される。この意味でも、従来の差入口案内板３２と同様に、郵便差出箱１への郵便の投函を円滑なものにすることができる。
【００７６】
この実施形態では、案内通路１１ａを開閉する回動蓋１５が案内枠１１に設けられるので、箱本体３の中へ郵便を投入するときだけ回動蓋１５により差入口７を開放し、それ以外のときには回動蓋１５により差入口７を閉鎖することが可能となる。このため、差入口７に郵便が差し入れられないときには、差入口７から箱本体３の中にゴミや雨水などが侵入することを防止することができる。
【００７７】
この実施形態では、案内枠１１に支持されたシャフト１４を中心に回動蓋１５が上方へ回動することにより案内通路１１ａが開放されるので、差入口７への郵便の差し入れと同時に回動蓋１５が押し開けられる。このため、差入口７への郵便の差し入れを円滑なものにすることができる。
【００７８】
この実施形態によれば、差入口案内板２がステンレス製であることから、雨水などで錆びることがない。このため、差入口案内板２としての耐久性を向上させることができる。また、差入口案内板２及び各部材１１，１５の表面がヘアーライン仕上されることから、各部材２，１１，１５の表面が独特の金属光沢を呈する。このため、差入口案内板２としての意匠的効果を確保することができる。
【００７９】
［第２実施形態］
次に、本発明における郵便差出箱の差入口案内板を具体化した第２実施形態につき図面を参照して詳細に説明する。
【００８０】
尚、以下に説明する各実施形態において、第１実施形態で説明した構成要素と同一の構成要素については同一の符号を付して説明を省略し、以下には異なった点を中心に説明する。
【００８１】
この第２実施形態では、差入口案内板の新旧交換に際して、差入凹部５の歪みや変形に起因して差入孔６と差入口案内板との間に生じる隙間から郵便差出箱１の中へ雨水が浸入することを防止する構成を付加した点で、第１実施形態と構成が異なる。
【００８２】
図１１に、この実施形態における差入口案合板２１を斜視図により示す。図１２には、箱本体３の差入凹部５に対する差入口案内板２１の取り付けを分解断面図により示す。図１３に、箱本体３の差入凹部５を正面図により示す。
【００８３】
図１１に示すように、差入口案内板２１は、その庇板部２ｂの左右両側縁が、先端へ向けて内側へ傾斜する傾斜縁２２をなしている。また、傾斜板部２ｃ及び屈曲縁部２ｄの左右両側縁が、傾斜板部２ｃから屈曲縁部２ｄにかけて先端へ向けて内側へ傾斜する傾斜縁２３をなしている。この実施形態において、庇板部２ｂにおける傾斜縁２２の傾斜角度θ１は、「１.５〜２.５°」に設定される。また、傾斜板部２ｃ及び屈曲縁部２ｄにおける傾斜縁２３の傾斜角度θ２は、「０.５〜１.５°」に設定される。すなわち、この実施形態では、第１実施形態の差入口案内板２の構成（図３参照）と比べ、庇板部２ｂ、傾斜板部２ｃ及び屈曲縁部２ｄの左右両側縁に、傾斜縁２２，２３がそれぞれ形成されている。そして、この差入口案内板２１では、口枠部２ａの横幅Ｗ１だけが上記した横幅Ｗ１と同じに設定され、塗装の厚み変化を見込んで差入凹部５の横幅Ｗ２よりも所定寸法（１〜２ｍｍ）だけ小さく設定される。
【００８４】
加えて、図１１，１２に示すように、この実施形態では、前述した皿穴１８に代わり、庇板部２ｂにばか穴２６が形成され、それらばか穴２６にトラス小ネジ３０が挿通される。また、庇板部２ｂと各トラス小ネジ３０との間には、当板２７が介在する。この当板２７は、庇板部２ｂの横幅方向に沿って延びる長尺形状をなす。当板２７には、各ばか穴２６に整合する複数の穴２７ａが形成される。この実施形態では、これらばか穴２６、トラス小ネジ３０及び当板２７により、本発明における第２の固定手段が構成される。
【００８５】
そして、差入口案内板２１を箱本体３に取り付けるには、図１２に示すように、差入口案内板２１を差入凹部５及び差入孔６に対応して配置し、屈曲縁部２ｄを、複数組のボルト１６とナット１７により箱本体３に締め付けて固定する。また、庇板部２ｂを、その複数のばか穴２６に当板２７を介在させて挿通した各トラス小ネジ３０により箱本体３のネジ穴２８に締め付けて固定する。これにより、差入口案内板２１が箱本体３に固定される。
【００８６】
ここで、図１３に示すように、郵便差出箱１の箱本体３は、長方形をなす差入孔６の横幅方向における右端縁６ａが差入凹部５の横幅右端５ｄに一致するように形成される。すなわち、差入凹部５の差入孔６に対応する部分は、全体が横長な長方形をなし、その長方形の右寄りかつ上寄りの部分に差入孔６が形成され、その他の部分は壁板５ｅとなっている。このため、差入口案内板２１において、差入孔６に対応して配置される口枠部２ａの横幅方向における右端縁２４（図１１参照）を、差入凹部５の横幅右端５ｄの内壁に当てるように寄せ、口枠部２ａの横幅方向における左端部２５は壁板５ｅに当てることにより、口枠部２ａと差入孔６との間の隙間をなくすことができる。しかしながら、口枠部２ａを差入凹部５の横幅右端５ｄに寄せる際、口枠部２ａより先に庇板部２ｂ、傾斜板部２ｃ又は屈曲縁部２ｄが差入凹部５の横幅右端５ｄの内壁に当たることになれば、口枠部２ａの右端縁２４を差入凹部５の横幅右端５ｄに寄せることがでなくなり、その右端縁２４に差入孔６との間で隙間が生じる懸念がある。
【００８７】
この実施形態では、図１２に示すように、庇板部２ｂのばか穴２６とそれらばか穴２６に挿通されるトラス小ネジ３０との間に生じる隙間と、屈曲縁部２ｄのボルト１６と箱本体３に形成されるばか穴２９との間に生じる隙間とにより、トラス小ネジ３０やボルト１６を締め付ける前には、差入凹部５と差入口案内板２１との間で微小な変位が許容されることになる。ここで、庇板部２ｂの側縁が傾斜縁２２をなし、傾斜板部２ｃ及び屈曲縁部２ｄの側縁が傾斜縁２３をなすので、庇板部２ｂ、傾斜板部２ｃ及び屈曲縁部２ｄよりも口枠部２ａを優先的に差入凹部５の横幅右端５ｄに寄せることが可能となり、口枠部２ａと差入孔６との間に隙間がなくなる。このため、差入口案合板２１を旧型と交換する場合でも、口枠部２ａと差入孔６との間の隙間から箱本体３の中へ雨水が浸入することを未然に防止することができる。
【００８８】
また、この実施形態によれば、庇板部２ｂの傾斜縁２２につき、その傾斜角度θ１が「１.５〜２.５°」という微小な角度に特定され、傾斜板部２ｃ及び屈曲縁部２ｄの傾斜縁２３につき、その傾斜角度θ２が「０.５〜１.５°」という微小な角度に特定されるので、差入口案内板２１が差入凹部５に取り付けられた状態で各傾斜縁２２，２３が目立つことはない。このため、差入口案内板２１としての意匠的効果を確保することができる。
【００８９】
この実施形態では、庇板部２ｂと各トラス小ネジ３０との間に当板２７が介在するので、各トラス小ネジ３０が庇板部２ｂに対して安定着座することになる。このため、トラス小ネジ３０が箱本体３のネジ穴２８に締め付けられた後に、そのトラス小ネジ３０がばか穴２６の中でずれることがなく、庇板部２ｂを箱本体３に対して確実に固定することができる。
【００９０】
この実施形態の差入口案合板２１において、各傾斜縁２２，２３以外の構成により得られる作用効果については、第１実施形態における差入口案内板２のそれと基本的に同じである。
【００９１】
尚、この発明は前記各実施形態に限定されるものではなく、発明の趣旨を逸脱することのない範囲で以下のように実施することもできる。
【００９２】
（１）前記各実施形態では、差入口案内板２に、案内枠１１及び回動蓋１５を設けたが、案内枠１１及び回動蓋１５の少なくとも一方を省略してもよい。この場合も、差入口案内板２により得られる、その新旧交換作業の簡略化に関する作用効果は、前記実施形態のそれと基本的に同じである。
【００９３】
（２）前記第２実施形態では、庇板部２ｂ、傾斜板部２ｃ及び屈曲縁部２ｄの左右両側縁を傾斜縁２２，２３としたが、左右両側縁の一方、特に、庇板部、傾斜板部及び屈曲縁部の左右両側縁につき、差入凹部の片端に対して口枠部の端縁を片寄せする側と同じ側縁だけ傾斜縁をとしてもよい。この場合も、傾斜縁により得られる雨水浸入防止に関する作用効果は、前記第２実施形態のそれと基本的に同じである。
【図面の簡単な説明】
【００９４】
【図１】郵便差出箱を示す正面図。
【図２】郵便差出箱から差入口案内板を分離して示す斜視図。
【図３】差入口案合板を示す斜視図。
【図４】差入口案内板を示す分解斜視図。
【図５】差入口案内板を示す正面図。
【図６】差入口案内板を示す平面図。
【図７】（ａ）,（ｂ）は差入口案内板の左側面図と右側面図。
【図８】図５のＡ−Ａ線に沿った断面図。
【図９】（ａ）,（ｂ）は本実施形態と従来の差入口案内板を比較して示す右側面図。
【図１０】箱本体に対する差入口案内板の取り付けを示す分解断面図。
【図１１】差入口案合板を示す斜視図。
【図１２】箱本体に対する差入口案内板の取り付けを示す分解断面図。
【図１３】箱本体の一部を示す正面図。
【図１４】従来の郵便差出箱を示す正面図。
【図１５】従来の郵便差出箱から差入口案内板を分離して示す斜視図。
【図１６】従来の差入口案内板を示す正面図。
【図１７】従来の差入口案内板を示す右側面図。
【図１８】従来例につき、郵便差出箱への差入口案内板の取り付けを示す分解断面図。
【符号の説明】
【００９５】
１    郵便差出箱
２    差入口案内板
２ａ    口枠部
２ｂ    庇板部
２ｃ    傾斜板部
２ｄ    屈曲縁部
５    差入凹部
６    差入孔
７    差入口
１１    案内枠
１１ａ    案内通路
１４    シャフト
１５    回動蓋
１６    ボルト（第１の固定手段）
１７    ナット（第１の固定手段）
１８    皿穴（第２の固定手段）
１９    皿ネジ（第２の固定手段）
２１    差入口案内板
２２    傾斜縁
２３    傾斜縁
２６    ばか穴（第２の固定手段）
２７    当板（第２の固定手段）
３０    トラス小ネジ（第２の固定手段）
Ｗ１    横幅
Ｗ２    横幅
θ１    傾斜角度
θ２    傾斜角度
【図１】
2006075263.tif 000003
【図２】
2006075263.tif 000004
【図３】
2006075263.tif 000005
【図４】
2006075263.tif 000006
【図５】
2006075263.tif 000007
【図６】
2006075263.tif 000008
【図７】
2006075263.tif 000009
【図８】
2006075263.tif 000010
【図９】
2006075263.tif 000011
【図１０】
2006075263.tif 000012
【図１１】
2006075263.tif 000013
【図１２】
2006075263.tif 000014
【図１３】
2006075263.tif 000015
【図１４】
2006075263.tif 000016
【図１５】
2006075263.tif 000017
【図１６】
2006075263.tif 000018
【図１７】
2006075263.tif 000019
【図１８】
2006075263.tif 000020